(57)【要約】【課題】飲食代金の電子マネー精算等に係わる客の利便性を高める一方で、空席案内等の手間を軽減して飲食店のサービス効率を向上させる。【解決手段】表示装置１７と電子商取引装置１６を客用テーブルＴＢ毎に配置し、入力装置１５から、少なくとも客から注文された品の品目情報を含む表示制御情報と、注文された品に関する精算伝票情報をそれぞれ該当する表示装置１７または電子商取引装置１６に無線送信する。表示装置１７は入力装置１７からの表示制御情報のうち、少なくとも品目情報に対応する客注文品目表示画面を含む接客サービス画面を表示させ、かつ電子商取引装置１６は表示装置１７に表示された接客サービス画面のうちの“電子マネーによる精算可能表示画面”を見た客が非接触型ＩＣカード５０をかざすことにより電子マネー精算処理を行なう。【選択図】　図１
2004046422.tif 000002
【特許請求の範囲】
【請求項１】
表示装置と、非接触型ＩＣカードを用いた電子商取引装置を客用テーブル毎に配置すると共に、客から注文された品の品目情報を入力する入力装置と前記表示装置及び電子商取引装置間を無線インタフェースで相互に接続して成り、
前記入力装置は、
前記表示装置に対して接客サービス画面を表示させるための情報であって、少なくとも客から注文された品の品目情報を含む表示制御情報と、前記注文された品に関する精算伝票情報をそれぞれ該当する前記表示装置または前記電子商取引装置に無線インタフェースを介して送信する送信手段
を具備し、
前記表示装置は、
前記入力装置から送信された前記表示制御情報を無線インタフェース手段により受信する受信手段と、
受信した前記表示制御情報毎に該情報に対応した接客サービス画面を表示させる制御機能を有し、該接客サービス画面として、少なくとも受信した前記品目情報に対応する客注文品目表示画面を表示させる表示制御手段と
を具備し、
前記電子商取引装置は、
前記入力装置から送信された前記精算伝票情報を無線インタフェース手段により受信する受信手段と、
前記表示装置に表示された前記接客サービス画面を見た客が前記電子商取引装置に非接触型ＩＣカードをかざすことにより、前記精算伝票情報に対応する飲食代金の電子マネーによる精算処理を行なう精算処理手段と
を具備することを特徴とする飲食サービス処理システム。
【請求項２】
前記電子商取引装置は、
前記精算処理時、精算金額に対応したポイントを前記非接触型ＩＣカードに書き込むポイント加算処理手段を具備することを特徴とする請求項１記載の飲食サービス処理システム。
【請求項３】
前記電子商取引装置は、
前記精算処理及びポイント加算処理終了後、前記非接触型ＩＣカードがかざされている間、当該精算内容情報及びポイント情報を前記表示装置に無線インタフェースにより送信する手段を具備し、
前記表示装置は、前記精算内容情報及びポイント情報を無線インタフェースにより受信して表示する手段
を具備することを特徴とする請求項２記載の飲食サービス処理システム。
【請求項４】
前記電子商取引装置は、
前記精算処理時、かざされている非接触型ＩＣカードから顧客情報を読み取り、該顧客情報を前記精算内容情報と共に予め定められて顧客センタ装置に送信する手段を具備することを特徴とする請求項１記載の飲食サービス処理システム。
【請求項５】
前記客用テーブル毎に設置され、該客用テーブルが利用中か空席かを示す信号を出力する着席確認スイッチと、
前記着席確認スイッチの出力に基づき対応する各客用テーブルが利用中か空席かを判別可能な態様で客席案内表示を行なう客席案内表示装置と
を更に具備することを特徴とする請求項１記載の飲食サービス処理システム。
【請求項６】
空席待ち登録しようとする客の氏名情報を入力する空席待ち登録手段と、
前記着席確認スイッチの出力に基づき全ての客用テーブルが利用中であると判断された場合、前記空席待ち登録手段により入力された氏名情報を空席待ちの順番に対応させて空席待ちリストとして前記客席案内表示装置に表示する空席待ち表示制御手段と
を具備することを特徴とする請求項５記載の飲食サービス処理システム。
【請求項７】
非接触型ＩＣカードに記憶されている利用者識別情報に対応する電子金庫から利用者により指定された金額情報を当該非接触型ＩＣカードに移す電子マネー入金処理を行なう入金装置を更に具備することを特徴とする請求項１記載の飲食サービス処理システム。
【発明の詳細な説明】
【０００１】
【発明の属する技術分野】
本発明は、ファミリーレストラン等の飲食店で客が飲食代金を電子マネーにより精算する飲食サービス処理システムに係わり、詳しくは、電子マネー精算等に係わる客の利便性を高めると共に、空席案内等の手間を軽減して飲食店のサービス効率を向上させるためのシステム構成の改良に関する。
【０００２】
【従来の技術】
従来、ファミリーレストラン等の飲食店において、来店した客の空席テーブルへの案内から飲食代金の精算までの作業が店員を主体としてなされるのが一般的であった。
【０００３】
例えば、飲食店に客が来店すると、まず、店員が客を空席の客用テーブルまで案内し、客から所望の品の注文を受けて注文用端末に入力する。
【０００４】
その後、注文を受けた品を客用テーブルに順次提供し、全ての品を提供し終えたところで、精算伝票を客用テーブルまで持っていき客に渡す。
【０００５】
客はその精算伝票をレジまで持っておき、レジ担当の店員に飲食代金を渡して精算を行なう。
【０００６】
かかる従来のサービス形態では、客はレジまで行って現金を渡して精算する必要があり、精算が煩雑であった。
【０００７】
これを解消すべく、電子商取引装置を取り入れ、電子マネーにより飲食代金を清算できるようにした店もあるが、従来、このような店においても、電子商取引装置はレジ付近に設置されるのが一般的であり、客にとっては電子マネーを利用して精算するにしてもレジに並ぶ等の必要性があった。
【０００８】
また、従来では、客が注文した品目は精算伝票を受取るまで客に提示されることがなかったため、注文の間違えが後で判明することも多く、この点も客の利便性を低下させる一因となっていた。
【０００９】
また、客を空席まで案内する案内役が必要であり、飲食店側にとっては、そのための人員配置によってサービス効率が低下することになった。
【００１０】
更に、ポイントカード等を発行し、レジでの精算時にポイント加算を行なうことは可能であるものの、顧客情報の収集は難しく、現実的には顧客情報の管理は行なえなかった。
【００１１】
【発明が解決しようとする課題】
このように、従来の飲食店における来客サービスでは、客にとっては、たとえ電子マネーにより飲食代金を精算するにしてもレジに並ぶ必要があり、また、注文の間違えが後で判明する等、客にとっての利便性が悪いという問題点があった。
【００１２】
また、飲食店側では、空席の案内役が必要である等、サービス効率が低下するという問題点があった。
【００１３】
また、顧客情報の管理が行なえず、マーケットリサーチが容易に行なえないという問題点があった。
【００１４】
本発明は上記問題点を除去し、飲食代金の電子マネー精算等に係わる客の利便性を高める一方で、空席案内等の手間を軽減して飲食店のサービス効率を向上させることができ、併せて顧客情報の管理も容易に行なえる飲食サービス処理システムを提供することを目的とする。
【００１５】
【課題を解決するための手段】
上記目的を達成するために、請求項１記載の発明は、表示装置と、非接触型ＩＣカードを用いた電子商取引装置を客用テーブル毎に配置すると共に、客から注文された品の品目情報を入力する入力装置と前記表示装置及び電子商取引装置間を無線インタフェースで相互に接続して成り、前記入力装置は、前記表示装置に対して接客サービス画面を表示させるための情報であって、少なくとも客から注文された品の品目情報を含む表示制御情報と、前記注文された品に関する精算伝票情報をそれぞれ該当する前記表示装置または前記電子商取引装置に無線インタフェースを介して送信する送信手段を具備し、前記表示装置は、前記入力装置から送信された前記表示制御情報を無線インタフェース手段により受信する受信手段と、受信した前記表示制御情報毎に該情報に対応した接客サービス画面を表示させる制御機能を有し、該接客サービス画面として、少なくとも受信した前記品目情報に対応する客注文品目表示画面を表示させる表示制御手段とを具備し、前記電子商取引装置は、前記入力装置から送信された前記精算伝票情報を無線インタフェース手段により受信する受信手段と、前記表示装置に表示された前記接客サービス画面を見た客が前記電子商取引装置に非接触型ＩＣカードをかざすことにより、前記精算伝票情報に対応する飲食代金の電子マネーによる精算処理を行なう精算処理手段とを具備することを特徴とする。
【００１６】
請求項２記載の発明は、上記請求項１記載の発明において、前記電子商取引装置は、前記精算処理時、精算金額に対応したポイントを前記非接触型ＩＣカードに書き込むポイント加算処理手段を具備することを特徴とする。
【００１７】
請求項３記載の発明は、上記請求項２記載の発明において、前記電子商取引装置は、前記精算処理及びポイント加算処理終了後、前記非接触型ＩＣカードがかざされている間、当該精算内容情報及びポイント情報を前記表示装置に無線インタフェースにより送信する手段を具備し、前記表示装置は、前記精算内容情報及びポイント情報を無線インタフェースにより受信して表示する手段を具備することを特徴とする。
【００１８】
請求項４記載の発明は、上記請求項１記載の発明において、前記電子商取引装置は、前記精算処理時、かざされている非接触型ＩＣカードから顧客情報を読み取り、該顧客情報を前記精算内容情報と共に予め定められて顧客センタ装置に送信する手段を具備することを特徴とする。
【００１９】
請求項５記載の発明は、上記請求項１記載の発明において、前記客用テーブル毎に設置され、該客用テーブルが利用中か空席かを示す信号を出力する着席確認スイッチと、前記着席確認スイッチの出力に基づき対応する各客用テーブルが利用中か空席かを判別可能な態様で客席案内表示を行なう客席案内表示装置とを更に具備することを特徴とする。
【００２０】
請求項６記載の発明は、上記請求項５記載の発明において、空席待ち登録しようとする客の氏名情報を入力する空席待ち登録手段と、前記着席確認スイッチの出力に基づき全ての客用テーブルが利用中であると判断された場合、前記空席待ち登録手段により入力された氏名情報を空席待ちの順番に対応させて空席待ちリストとして前記客席案内表示装置に表示する空席待ち表示制御手段とを具備することを特徴とする。
【００２１】
請求項７記載の発明は、上記請求項１記載の発明において、非接触型ＩＣカードに記憶されている利用者識別情報に対応する電子金庫から利用者により指定された金額情報を当該非接触型ＩＣカードに移す電子マネー入金処理を行なう入金装置を更に具備することを特徴とする。
【００２２】
【発明の実施の形態】
以下、本発明の実施の形態について添付図面を参照して詳細に説明する。
【００２３】
図１は、本発明に係わる飲食サービス処理システムの概略構成を示す図である。
【００２４】
このシステムは、客席案内表示制御機能と商品注文・精算制御機能を統合して成るホストコンピュータ１０と、客席案内表示機能並びに商品注文・精算機能の各機能を実現する構成要素とから成る。
【００２５】
客席案内表示機能を実現する構成要素としては、客席案内表示装置１１、空席待ち登録装置１２，１３、着席確認スイッチ１８−１，…，１８−ｎが備わる。
【００２６】
客席案内表示装置１１は、来店した客が利用する客用テーブルＴＢ１，…，ＴＢｎ毎に設置される着席確認スイッチ１８−１，…，１８−ｎの出力に応じて該当する客用テーブルＴＢ１，…，ＴＢｎが空席であるのか利用中であるのかを判別可能に表示するものである。
【００２７】
空席待ち登録装置１２，１３は、客用テーブルＴＢ１，…，ＴＢｎが全て使用中（満席）の場合に、空席待ちの客を登録する手段として用いられるものである。
【００２８】
このうち、空席待ち登録装置１２（空席待ち登録装置Ａ）は、後述する電子商取引装置１６（１６−１，…，１６−ｎ）と同様のもので実現されるものであり、リーダ／ライタ部（ＲＷ部）でその近傍にかざされた非接触型ＩＣカード５０から氏名情報を読み込んで空席待ちの客として登録するものである。
【００２９】
また、空席待ち登録装置１３（空席待ち登録装置Ｂ）は、ペン入力装置を用いたものであり、客が入力ペン１３１を用いてタブレット上に筆記した文字（氏名）を氏名情報に変換して取り込んで空席待ちの客として登録するものである。
【００３０】
着席確認スイッチ１８−１，…，１８−ｎは、該当する客用テーブルＴＢ１，…，ＴＢｎが利用中であるか空席であるかに対応した信号を出力するスイッチである。
【００３１】
この着席確認スイッチ１８−１，…，１８−ｎは、例えば、客用テーブルＴＢ１，…，ＴＢｎが利用中の時には接点が閉成され、空席の場合には開成するように店員が操作するスイッチで実現できる。
【００３２】
商品注文・精算機能を実現するための構成要素としては、入金機１４、入力装置１５、電子商取引装置１６−１，…，１６−ｎ、表示装置１７−１，…，１７−ｎが設けられる。
【００３３】
電子商取引装置１６−１，…，１６−ｎと表示装置１７−１，…，１７−ｎは、着席確認スイッチ１８−１，…，１８−ｎが各々設置される客用テーブルＴＢ１，…，ＴＢｎ毎に１組ずつ設置される。
【００３４】
上記構成要素のうち、入金機１４は、来店した客によって非接触型ＩＣカード５０がかざされることにより、該カード５０に記憶されている利用者の識別情報（個人番号情報）を読み出し、ホストコンピュータ１０を介して当該個人番号情報に対応する電子金庫（例えば、銀行４０内に設けられる。）にアクセスし、この電子金庫から利用者により指定された金額に相当する金額情報を非接触型ＩＣカード５０に移す（現在の残高に加算する）ことにより電子マネーの入金処理を行なう。
【００３５】
この入金機１４による電子マネーの入金処理は、銀行４０の電子金庫からの金額情報の移動の他、現金やクレジットカード等によっても実現できる。
【００３６】
なお、非接触型ＩＣカード５０には、カード発行時、利用者本人の個人番号情報、氏名、性別、年齢等の個人情報も記憶される。
【００３７】
入力装置１５は、電子商取引装置１６−１，…，１６−ｎ及び表示装置１７−１，…，１７−ｎと無線インタフェースで接続され、店員が客用テーブルＴＢ１，…，ＴＢｎを巡る時に持ち歩きながら、各客用テーブルＴＢ１，…，ＴＢｎにある表示装置１７−１，…，１７−ｎに対しては接客サービス画面を表示させるための表示制御情報（後述する来客待ちモード設定情報，注文待ちモード設定情報，注文品目情報，品提供完了通知，精算モード設定情報等）を無線送信し、同各客用テーブルＴＢ１，…，ＴＢｎにある電子商取引装置１６−１，…，１６−ｎに対しては電子マネー精算処理を行なうための情報（後述する精算伝票情報等）を無線送信できるように構成される。
【００３８】
具体的な例を挙げると、入力装置１５は、少なくとも以下（ａ）〜（ｆ）の無線送信機能を有している。
【００３９】
（ａ）店員が客用テーブルＴＢ（ＴＢ１，…，ＴＢｎ）を利用する客からの注文を受けるのに先立って、注文待ちモードで移行する旨を指示する情報（図４における注文待ちモード設定情報）を該当する客用テーブルＴＢの表示装置１７（１７−１，…，１７−ｎ）に送信する。
【００４０】
（ｂ）店員が客用テーブルＴＢを利用する客から注文を受けた品の品目情報（同、注文品目情報）を該当する客用テーブルＴＢの表示装置１７に送信する。
【００４１】
（ｃ）注文を受けた品目を客用テーブルＴＢに提供する（配る）毎にその旨を通知する情報（同、品提供完了通知）を該当する客用テーブルＴＢの表示装置１７に送信する。
【００４２】
（ｄ）注文を受けた全ての品を提供し終えた際に精算モードへ移行する旨を指示する情報（同、精算モード設定情報）を該当する客用テーブルＴＢの電子商取引装置１６（１６−１，…，１６−ｎ）及び表示装置１７に送信する。
【００４３】
（ｅ）精算モード設定情報と一緒に、精算すべき飲食代金を示す情報（同、精算伝票情報）を該当する客用テーブルＴＢの電子商取引装置１６に送信する。
【００４４】
（ｆ）精算終了後、空席となった客用テーブルＴＢの表示装置１７に、新たな客を受け入れ可能な来客待ちモードへ移行する旨を指示する情報（同、来客待ちモード設定情報）を送信する。
【００４５】
電子商取引装置１６−１，…，１６−ｎは、非接触型ＩＣカード５０から情報を読み取ったり該カード５０に情報を書込むリーダ／ライタ（Ｒ／Ｗ）部を有し、客により非接触型ＩＣカード５０がかざされることにより該カード５０から当該カード５０に予め入金されている金額情報を読み出して客が利用した飲食代金に相当する金額情報を引き落とし、残金を非接触型ＩＣカード５０に書き込む電子マネー精算処理を行なうものである。
【００４６】
本システムにおいて、電子商取引装置１６−１，…，１６−ｎは、ホストコンピュータ１０と例えば無線インタフェースにより接続されている。
【００４７】
これにより、電子商取引装置１６−１，…，１６−ｎは、上述した電子マネー精算処理時に非接触型ＩＣカード５０から客の個人番号情報、性別、年齢等の個人情報も読み取り、これら情報（顧客情報）を今回の精算内容と共に、上記無線インタフェースによりホストコンピュータ１０を通じて顧客センタ３０に送信する。
【００４８】
また、電子商取引装置１６−１，…，１６−ｎは、入力装置１５及び表示装置１７−１，…，１７−ｎとも無線インタフェースにより接続されている。
【００４９】
これにより、電子商取引装置１６−１，…，１６−ｎは、上記電子マネー精算処理に先立って、例えば入力装置１５から上記無線インタフェースを介して客の注文した商品の精算に関する情報（図４における精算伝票情報）を取得すると共に、上記電子マネー精算処理完了後、その精算内容を示す情報（同、精算内容情報）を上記無線インタフェースを介して該当する客用テーブルＴＢの表示装置１７−１，…，１７−ｎに送信する。
【００５０】
また、電子商取引装置１６−１，…，１６−ｎは、上記電子マネー精算時、当該精算金額に相当する分のポイントを非接触型ＩＣカード５０に書き込み、上記精算内容情報と共に当該ポイント値を示す情報（同、ポイント情報）を該当する客用テーブルＴＢの表示装置１７−１，…，１７−ｎに送信する。
【００５１】
また、電子商取引装置１６−１，…，１６−ｎは、電子マネー精算処理に際してそれまでかざされていた非接触型ＩＣカード５０がかざされなくなった時点で、精算が完了した旨を示す情報（同、精算完了通知）を該当する客用テーブルＴＢの表示装置１７−１，…，１７−ｎに送信する。
【００５２】
表示装置１７−１，…，１７−ｎは、入力装置１５及び電子商取引装置１６−１，…，１６−ｎと無線インタフェースにより接続されている。
【００５３】
これにより、表示装置１７−１，…，１７−ｎは、店員が客から注文を受けようとして入力装置１５において注文待ちモード設定操作を行なうことにより該入力装置１５から上記無線インタフェースを介して送られてくる注文待ちモード設定情報を受信し〔前述した入力装置１５の無線送信機能（ａ）への対応動作〕、該注文待ち設定情報に基づき後述する注文待ち画面〔図５（ｂ）参照〕を表示する。
【００５４】
また、店員が客から注文を受けた品の情報を入力装置１５に入力することにより該入力装置１５から上記無線インタフェースを介して送られてくる注文品目情報を受信し〔同、無線送信機能（ｂ）への対応動作〕、該注文品目情報に基づき後述する注文品目画面〔図５（ｃ）参照〕を表示する。
【００５５】
また、注文を受けた品を客用テーブルＴＢに提供した店員により入力装置１５を用いてなされる品提供完了操作により該入力装置１５から上記無線インタフェースを介して送られてくる品提供完了通知を受信し〔（同、無線送信機能（ｃ）への対応動作〕、該通知に基づき後述する品提供完了画面〔図５（ｄ）参照〕を表示する。
【００５６】
また、注文を受けた全ての品を客に提供し終えた際に店員により入力装置１５を用いてなされる精算モード設定操作により該入力装置１５から上記無線インタフェースを介して送られてくる精算モード設定情報を受信し〔同、無線送信機能（ｄ）への対応動作〕、該情報に基づき後述する宣伝／精算可能画面〔図５（ｅ）参照〕を表示する。
【００５７】
また、上記宣伝／精算可能画面を見た客により非接触型ＩＣカード５０を用いて電子商取引装置１６による電子マネー精算処理がなされることにより該電子商取引装置１６から上記無線インタフェースを介して送られてくる精算内容情報／ポイント情報を受信し〔同、無線送信機能（ｅ）への対応動作〕、これら情報に基づき後述する精算内容／ポイント情報画面〔図５（ｆ）参照〕を表示する。
【００５８】
また、上記電子マネー精算処理に際して客が非接触カード５０を電子商取引装置１６にかざすのを止めることにより当該電子商取引装置１６から上記無線インタフェースを介して送られてくる精算完了通知を受信し、該通知に基づき後述する精算完了画面〔図５（ｇ）参照〕を表示する。
【００５９】
また、電子マネー精算処理終了後、その客用テーブルＴＢが空席となったことを確認した店員により入力装置１５を用いてなされる来客待ちモード設定操作により該入力装置１５から上記無線インタフェースを介して送られてくる来客待ちモード設定情報を受信し〔同、無線送信機能（ｆ）への対応動作〕、該情報に基づき後述する来客待ち画面〔図５（ａ）参照〕を表示する。
【００６０】
上述した客席案内表示機能と商品注文・精算機能の統合制御を行なうホストコンピュータ１０の構成要素としては、無線インタフェース（Ｉ／Ｆ）部１０１、通信制御部１０２、客席案内制御部１０３、操作部１０４、表示部１０５、主制御部１０６が設けられる。
【００６１】
無線Ｉ／Ｆ部１０１は、客用テーブルＴＢ１，…，ＴＢｎに配置された電子商取引装置１６−１，…，１６−ｎとの間の無線通信に係わるインタフェース機能を担う。
【００６２】
通信制御部１０２は、無線Ｉ／Ｆ部１０１を介して電子商取引装置１６−１，…，１６−ｎと接続されると共に、通信網２０を介して顧客センタ３０及び銀行（電子金庫）４０と接続され、電子商取引装置１６−１，…，１６−ｎから顧客センタ３０への顧客情報送信、及び入金機１４と銀行４０間の電子マネー入金処理に係わる通信制御を行なう。
【００６３】
客席案内制御部１０３は、着席確認スイッチ１８−１，…，１８−ｎの出力に応じて客席案内表示装置１１に該当する各客用テーブルＴＢ１，…，ＴＢｎ毎の空席／使用中の状況を表示する制御、並びに客用テーブルＴＢ１，…，ＴＢｎが満席の場合に空席待ち登録装置１２，１３から登録される客（氏名情報）の空席待ちリスト表示の制御を行なう。
【００６４】
操作部１０４はキーボードやマウス等で構成され、各種の情報を入力するものであり、表示部１０５は液晶表示器等から成り、各種情報を表示するものである。
【００６５】
主制御部１０６は、上記各部を制御して装置全体の動作の制御を行なう。
【００６６】
ホストコンピュータ１０と通信網２０により接続される顧客センタ３０はコンピュータで構成され、電子商取引装置１６−１，…，１６−ｎが上述した電子マネー精算処理を行なうのに合わせて当該電子商取引装置１６−１，…，１６−ｎから送られてくる顧客情報を受信し、利用金額の累計値や当該利用金額に応じたポイント値などの情報と共に管理する。
【００６７】
図２は、図１に示したシステムの各構成要素の飲食店内での配置態様を示す概念図である。
【００６８】
このシステムは、例えば、ファミリーレストラン等の飲食店に設置される。
【００６９】
図２に示すように、この飲食店の入店ロビーには、客席案内表示装置１１、空席待ち登録装置１２，１３が設置されている。
【００７０】
入店ロビーから店内に入って直ぐのところにレジ台がある。レジ台上にはホストコンピュータ１０が設置され、レジ台横には入金機１４が設置される。
【００７１】
店内には、例えば、４つの客用テーブルＴＢ１，ＴＢ２，ＴＢ３，ＴＢ４が配置され、これら各テーブルＴＢ１，ＴＢ２，ＴＢ３，ＴＢ４には、それぞれ、着席確認スイッチ１８−１，１８−２，１８−３，１８−４が設けられる。
【００７２】
また、客用テーブルＴＢ１，ＴＢ２，ＴＢ３，ＴＢ４には、それぞれ、電子商取引装置１６−１と表示装置１７−１、電子商取引装置１６−２と表示装置１７−２、電子商取引装置１６−３と表示装置１７−３、電子商取引装置１６−４と表示装置１７−４とが１組みずつ設置される。
【００７３】
また、入力装置１５は店員Ｂが持ち歩き可能なものであり、特に、図２の場合は、店員Ｂが客Ａが利用している客用テーブルＴＢ１の前で客Ａから品（メニュー）の注文を受付ける状態にある。
【００７４】
図３は、客用テーブルＴＢ１における電子商取引装置１６−１、表示装置１７−１及び入力装置１５間の配置態様とこれら装置の機能構成を示す図である。
【００７５】
入力装置１５は、電子商取引装置１６−１及び表示装置１７−１との無線通信を実現する無線インタフェース（Ｉ／Ｆ）部１５１、客から注文を受けた品の情報等を入力する操作部１５２、操作部１５２で入力された情報等を表示する表示部１５３、操作部１５２から入力された情報に基づき客からの注文に係わる処理を行なう注文処理部１５４、装置全体を制御する制御部１５５から構成される。
【００７６】
電子商取引装置１６−１は、非接触型ＩＣカード５０から情報を読み取ったり該カード５０に情報を書込むリーダ／ライタ（Ｒ／Ｗ）部１６１、ＲＷ部１６１を介して電子マネー精算等の電子商取引処理を行なう電子商取引処理部１６２、ホストコンピュータ１０の無線Ｉ／Ｆ部１０１との無線通信を実現する無線Ｉ／Ｆ部１６３、入力装置１５及び表示装置１７−１との無線通信を実現する無線Ｉ／Ｆ部１６４、装置全体の制御を行なう制御部１６５から構成される。
【００７７】
表示装置１７−１は、入力装置１５及び電子商取引装置１６−１との無線通信を実現する無線Ｉ／Ｆ部１７１、宣伝画面や図５に示すような各種接客サービス画面等を表示する表示部１７２、入力装置１５や電子商取引装置１６−１から無線Ｉ／Ｆ部１７１を介して受信される表示制御情報等に基づき上記接客サービス画面を表示部１７２に表示させる制御をはじめとして装置全体の制御を行なう制御部１７３から構成される。
【００７８】
入力装置１５からは、操作部１５２での入力操作に応じて、例えば、表示装置１７−１に接客サービス画面を表示させるための表示制御情報（来客待ちモード設定情報，注文待ちモード設定情報，注文品目情報，品提供完了通知，精算モード設定情報等）や、電子商取引装置１６−１で電子マネー精算処理を行なうのに必要な情報（精算伝票情報）が無線Ｉ／Ｆ部１５１を介して送信される。
【００７９】
表示部１７−１では、入力装置１５から無線送信された上記表示制御情報が無線Ｉ／Ｆ部１７１により受信され、電子商取引装置１６−１では、入力装置１から無線送信された精算伝票情報が無線Ｉ／Ｆ部１６４により受信される。
【００８０】
尚、図３には示してはいないが、電子商取引装置１６−２，１６−３，１６−４及び表示装置１７−２，１７−３，１７−４も、それぞれ、電子商取引装置１６−１及び表示装置１７−１と同様の構成を有する。
【００８１】
さて、今、図２のシステム配置形態において、客Ａが入店し、所望の品の飲食後、飲食代金を精算して店を出るまでの本システムの動作について考える。
【００８２】
ここで、客Ａの入店時には、客用テーブルＴＢ２，ＴＢ３，ＴＢ４が他の客によって利用されているものとする。
【００８３】
この場合、客用テーブルＴＢ１の着席確認スイッチ１８−１が例えば店員Ｂによってオフ状態（接点開成状態）に操作されており、他の客用テーブルＴＢ２，ＴＢ３，ＴＢ４の着席確認スイッチ１８−２，１８−３，１８−４がオン状態（接点閉成状態）に操作されている。
【００８４】
これにより、ホストコンピュータ１０の来客案内制御部１０３は、この時の着席確認スイッチ１８−１，１８−２，１８−３，１８−４の出力を基に、客席案内表示装置１１に対して、例えば、図６（ａ）に示す態様の客席案内表示を行なう。
【００８５】
図６（ａ）の客席案内表示よれば、客用テーブルＴＢ１のみが空席で、他の客用テーブルＴＢ２，ＴＢ３，ＴＢ４が使用中であることが判別可能である。
【００８６】
この時に、客Ａが入店し、客席案内表示装置１１の表示を見ることにより、客用テーブルＴＢ１が空席であることが分かる。これにより、客Ａは、店員Ｂの誘導に頼ることなく客用テーブルＴＢ１まで行きつくことができる。
【００８７】
なお、客Ａが客用テーブルＴＢ１についた時には、それ以前に客用テーブルＴＢ１を利用した客が帰った際に店員Ｂにより入力装置１５を用いて設定された来客待ちモードがそのまま維持された状態にある。
【００８８】
以下、その後のシステム動作について、図４及び図５を参照して説明する。
【００８９】
図４は、本発明のシステムにおける飲食サービス処理動作の流れを示す図であり、図５は図４における飲食サービス処理動作に係わる表示装置７の各種接客サービス画面の表示例を示す図である。
【００９０】
上述のように、客Ａが客用テーブルＴＢ１まで到着した時には、入力装置１５により来客待ちモードが設定されている。
【００９１】
入力装置１５から来客待ちモード設定がなされている時には、図４に示すように、対向する表示装置（この場合は、客用テーブルＴＢ１の表示装置１７−１）に対して来客待ちモード設定情報が無線送信される。
【００９２】
一方、表示装置１７−１では、上記来客待ちモード設定情報を受信することにより、例えば、図５（ａ）に示すような来客待ち画面表示を行なう。
【００９３】
これにより、客用テーブルＴＢ１に到着した客Ａは、表示装置１７−１に表示された“いらっしゃませ”という画面を見てその席に着席することができる。
【００９４】
客Ａは、客用テーブルＴＢ１に着席後、所望の品を注文すべく店員Ｂを呼ぶ。呼ばれた店員Ｂは入力装置１５を持って客用テーブルＴＢ１まで行き、着席確認スイッチ１８−１をオン状態に操作したうえで、客Ａからの注文を受付ける。
【００９５】
なお、着席確認スイッチ１８−１がオン状態になると、ホストコンピュータ１０の来客案内制御部１０３は、この時の着席スイッチ１８−１の出力に基づき、客席案内表示装置１１に表示される来客案内画面を、例えば、図６（ａ）に示す画面から、客用テーブルＴＢ１も利用中であるような来客案内画面（満席時）に表示変更する。
【００９６】
従って、その後に入店した客は、客席案内表示装置１１の上記来客案内画面（満席時）の表示を見ることにより、空席待ちであることを認識し、空席待ち登録を行なう必要が生じする。この空席待ち登録処理については、後で詳述する。
【００９７】
さて、客Ａから所望の品の注文を受けるのに先立って、店員Ｂは、まず、入力装置１５を用いて注文待ちモード設定操作を行なう（図４参照）。
【００９８】
この注文待ちモード設定操作により、入力装置１５から注文待ちモード設定情報が無線送信され、表示装置１７−１は該情報を受信して、例えば、図５（ｂ）に示す如く、“ご注文をどうぞ”等の内容から成る注文待ち画面を表示する。
【００９９】
次いで、店員Ｂは、客Ａから注文される品の品目情報を入力装置１５を用いて入力する操作を行なう。
【０１００】
この注文品目入力操作により、入力装置１５から表示装置１７−１に注文品目情報が無線送信され、表示装置１７−１は、該情報を受信して注文品目画面を表示する。この注文品目入力及び注文品目画面表示は、例えば、客Ａからの注文がある毎に行なわれる。
【０１０１】
図５（ｃ）は、客Ａから４つの品の注文を受けた段階での表示装置１７−１における注文品目画面の表示例を示す図である。
【０１０２】
この例では、その時点まで注文された“ハンバーグ　ライス　スープ　コーヒー”といった注文品目が表示されている。
【０１０３】
この注文品目画面の表示を見ることにより、客Ａは自分が注文した品をその場で確認することができる。
【０１０４】
客Ａからの注文が終わると、店員Ｂは、客Ａが注文した品を客用テーブルＴＢ１に提供する（配る）作業に移る。
【０１０５】
この作業において、店員Ｂは、客Ａが注文した品を客用テーブルＴＢ１に提供する度に、入力装置１５を用いて当該品が提供された旨を指示するための品提供完了操作を行なう。
【０１０６】
この品提供完了操作により、入力装置１５から表示装置１７−１に対して品提供完了通知が無線送信され、表示装置１７−１は、この通知を受信して、当該品が提供完了していることが判別できる品提供完了画面を表示する。
【０１０７】
この品提供完了操作並びに品提供完了画面表示は、例えば、客Ａから注文された品を客用テーブルＴＢ１に提供する毎に行なわれる。
【０１０８】
図５（ｄ）は、客Ａから注文を受けたうちの２つの品を提供し終えた段階での表示装置１７−１における品提供完了画面の表示例を示す図である。
【０１０９】
この例では、その時点まで提供された“ハンバーグ”、“ライス”の二品が、未だ提供されていない他の二品とは異なる色で表示されている。
【０１１０】
客Ａは、この品提供完了画面を見ることによって、注文した品が全て提供されたかどうかを認識できる。
【０１１１】
一方、店員Ｂは、客Ａから注文を受けた全ての品を客用テーブルＴＢ１に提供し終えると、入力装置１５を用いて、精算モード設定操作を行なう。
【０１１２】
この精算モード設定操作により、入力装置１５から表示装置１７−１に対して精算モード設定情報が無線送信され、また、電子商取引装置１６−１には、精算モード設定情報と、精算伝票情報（客Ａが注文した品の品名及び金額等から成る）が送信される。
【０１１３】
これに対し、表示装置１７−１は、入力装置１５から送信された精算モード設定情報を受信し、該受信情報に基づき宣伝／精算可能画面を表示する。
【０１１４】
図５（ｅ）は、宣伝／精算可能画面の表示例を示す図であり、例えば、当該飲食店の宣伝の合間に“電子マネーで精算できます”の表示が行なわれる。
【０１１５】
この宣伝／精算可能画面を見ることにより、客Ａは、電子マネーによる精算が可能であることを認識でき、非接触型ＩＣカード５０を持っておりかつ当該カード５０による精算を希望する場合には、電子商取引装置１６−１の近傍にその非接触型ＩＣカード５０をかざす操作を行なう。
【０１１６】
一方、電子商取引装置１６−１は、入力装置１５から無線送信された精算モード設定情報及び精算伝票情報を受信した後、非接触型ＩＣカード５０がかざされると、ＲＷ部１６１で該カード５０から金額情報を読み出すと共に、該金額情報から精算伝票情報の金額情報を減算して残金に相当する金額情報を非接触型ＩＣカード５０に書き込むことにより電子マネー精算処理を行なう。
【０１１７】
この時、電子商取引装置１６−１は、精算金額に対応するポイント数を加算して非接触型ＩＣカード５０に書き込むポイント加算処理も行なう。
【０１１８】
そして、上記精算処理及びポイント加算処理が終わると、電子商取引装置１６−１は、この時の精算内容情報とポイント情報を表示装置１７−１に無線送信する。
【０１１９】
これに対して、表示装置１７−１は、上述した宣伝／電子マネー精算可能画面表示中に、電子商取引装置１６−１から精算内容情報／ポイント情報が受信されると、これら受信情報を基に精算内容／ポイント情報画面の表示を行なう。
【０１２０】
図５（ｆ）は、精算内容／ポイント情報画面の表示例を示す図であり、客Ａが注文した品の精算伝票がポイント数と併せて表示される。
【０１２１】
この精算内容／ポイント情報画面の表示は、電子商取引装置１６−１から非接触型ＩＣカード５０が離され（カードかざし停止）、これにより電子商取引装置１６−１から表示装置１７−１に精算完了通知が無線送信され、該精算完了通知が表示装置１７−１に受信されるまで続けられる。
【０１２２】
電子商取引装置１６−１から精算完了通知が受信されると、表示装置１７−１では電子マネー精算が完了したと認識し、例えば、図５（ｇ）に示すような“ありがとうございました”といった内容から成る精算完了画面を表示する。
【０１２３】
この精算完了画面を見た店員Ｂは客用テーブルＴＢ１利用中の客Ａが清算済みであること認識できる。言い換えれば、“ありがとうございました”といった画面表示がなされていない時に客Ａが店を出ようとした場合には客Ａの清算が終了していないと認識でき、いわゆる食い逃げを防止することができる。
【０１２４】
一方、電子商取引装置１６−１では、非接触型ＩＣカード５０が離された後、それまで非接触型ＩＣカード５０から読み取った個人情報（顧客情報）を、精算処理及びポイント加算処理で得た情報と合わせて顧客センサ３０宛に送信する。
【０１２５】
なお、上記精算終了後、客Ａが客用テーブルＴＢ１の席を立った後、店員Ｂは、後片付けや清掃を行ない、これが完了すると、入力装置１５を用いて来客待ちモード設定操作を行なう。
【０１２６】
この来客待ちモード設定操作により、入力装置１５から表示装置１７−１に対して来客待ちモード設定情報が無線送信され、表示装置１７−１は、この情報を受信して、例えば、図５（ａ）に示すような来客待ち画面の表示を行なう。
【０１２７】
また、店員Ｂは、清掃を終えた客用テーブルＴＢ１の着席確認スイッチ１８−１をオフ状態に操作し、該客用テーブルＴＢ１に新たな客を受け入れ可能にする。
【０１２８】
ホストコンピュータ１０は、この時の着席確認スイッチ１８−１の出力に基づき客席案内表示装置１１に対して客用テーブルＴＢ１が空席となったことを示す客席案内画面〔図６（ａ）参照〕の表示を行なう。
【０１２９】
これにより、ホストコンピュータ１０での処理は最初の状態に戻り、以後の入店客に対しても同様の処理が行なわれる。
【０１３０】
次に、空席待ち登録処理動作について説明する。
【０１３１】
上述した一連の処理において、ホストコンピュータ１０の客席案内制御部１０３では、客用テーブルＴＢ１，ＴＢ２，ＴＢ３，ＴＢ４に設置された着席確認スイッチ１８−１，１８−２，１８−３，１８−４の出力を取り込む。
【０１３２】
また、客席案内制御部１０３は、客用テーブルＴＢ１，ＴＢ２，ＴＢ３，ＴＢ４毎の画像データ（イラスト等）を有しており、上記着席確認スイッチ１８−１，１８−２，１８−３，１８−４の出力に基づき対応する客用テーブルＴＢ１，ＴＢ２，ＴＢ３，ＴＢ４毎の画像データに関連付けてそのテーブルが空きか使用中かを示す客席案内画面を客席案内表示装置１１に対して表示する。
【０１３３】
図６（ａ）は客席案内画面の表示例を示す図であり、この例では、客用テーブルＴＢ１のみが空席で，客用ＴＢ２，ＴＢ３，ＴＢ４は使用中であることが表示されている。
【０１３４】
この表示状態から、客用テーブルＴＢ１にも客が着席して着席確認スイッチ１８−１が閉成状態に操作されると、客席案内制御部１０３の上述した表示制御により、客用テーブルＴＢ１，ＴＢ２，ＴＢ３，ＴＢ４の全てが使用中の状態つまり満席状態の客席案内画面〔図６（ｂ）参照〕の表示に変わる。
【０１３５】
従って、この時に来店した客は客席案内表示装置１１の客席案内画面（満席時）を見て満席であることを認識し、空席待ち登録を行なう必要が生じる。
【０１３６】
この場合、客は、非接触型ＩＣカード５０を持っている場合には、空席待ち登録装置１２に当該非接触型ＩＣカード５０をかざすことで空席待ち登録を行なうことができる。
【０１３７】
この時、空席待ち登録装置１２はかざされた非接触型ＩＣカード５０から顧客情報（氏名情報）を読み取り、空席案内制御部１０３に渡す。
【０１３８】
一方、空席案内制御部１０３は、全ての着席確認スイッチ１８の出力に基づき客用テーブルＴＢが全て利用中であると判断された場合、空席待ち登録装置１２から渡された氏名情報を空席待ちの順番に対応させて空席待ちリストとして客席案内表示装置１２に表示する空席待ち表示制御を行なう。
【０１３９】
その後に来店した他の客が、空席待ち登録装置１２での上記空席待ち登録操作を行なうと、空席案内制御部１０３の上記制御により、当該客の氏名情報が客席案内表示装置１１の空席待ちリストの一番最後の順番に表示される。
【０１４０】
図６（ｃ）は空席待ちリスト画面の表示例を示す図であり、この例では、“あいだ”，“いしだ”，“うえだ”，…といった複数組みの客が空席待ちしている様子が分かる。
【０１４１】
なお、非接触型ＩＣカード５０を持っていない客の場合は、空席待ち登録装置１３を用いて入力ペン１３１によりタブレット上に自分の氏名を記入する。入力ペン１３１により記入された氏名は氏名情報に変換され、空席案内制御部１０３に渡される。
【０１４２】
空席案内制御部１０３は、この氏名情報を空席待ち登録装置１２からの入力情報と同様に扱って空席待ちリスト画面上に追加表示する。
【０１４３】
以後、空席待ち登録がなされる毎にその登録客の氏名を空席待ちリストに追加して表示し、１つ席が空く毎に先頭の客に対してその空いた席（客用テーブルＴＢ）への案内表示を行ない、該当する客が案内表示された客用テーブルＴＢに着席しその着席確認スイッチ１８がオン状態に操作されることにより、空席待ちの順番を繰り上げて空席待ちリスト表示を続けるようにする。
【０１４４】
この空席待ち登録客の新たに生じた空席への案内表示の例としては、例えば、図６（ｄ）に示す如く、待ち順が一番の客（空席に案内しようとする客）の氏名の点滅表示と、その時点で空席となった案内すべき客用テーブルＴＢが判別できる客席案内画面表示とを交互に表示すれば良い。
【０１４５】
このように、本発明のシステムでは、表示装置１７と、非接触型ＩＣカード５０を用いた電子商取引装置１６を客用テーブルＴＢ毎に配置すると共に、客から注文された品の品目情報を入力する入力装置１５と表示装置１７及び電子商取引装置１６間を無線インタフェースで相互に接続して成り、入力装置１５から、少なくとも客から注文された品の品目情報を含む表示制御情報と、注文された品に関する精算伝票情報をそれぞれ該当する表示装置１７または電子商取引装置１６に無線送信する一方、表示装置１７では入力装置１７から送られてくる表示制御情報のうち、少なくとも品目情報に対応する客注文品目表示画面を含む接客サービス画面を表示させ、かつ電子商取引装置１６では表示装置１７に表示された接客サービス画面のうちの“電子マネーによる精算可能表示画面”を見た客が非接触型ＩＣカード５０をかざすことにより該カード５０を対象とした電子マネー精算処理を行なうようにしている。
【０１４６】
かかる本発明のシステム構成によれば、客は利用中の客用テーブルＴＢにいながら電子商取引装置１６に非接触型ＩＣカード５０をかざすだけで飲食代金の精算ができ、飲食代金の電子マネーによる精算のためにレジに並ぶ等の必要性が無くなると共に、表示装置１７に表示された注文品目表示画面を見ることによって、自分が注文した品をその場で確認でき、注文の間違えが後で判明することを防止できる等、客（利用者）の利便性を大幅に高めることができる。
【０１４７】
また、本発明のシステムでは、客用テーブルＴＢが空席か利用中かを指示する出力を発生する着席確認スイッチ１８を客用テーブルＴＢ毎に設置し、着席確認スイッチ１８の出力に基づき対応する各客用テーブルＴＢが空席か利用中かを判別可能に表示する客席案内表示装置１１を設けたため、来店した客は、客席案内表示装置１１の表示を見ながら空席の客席テーブルＴＢを探して着席することができ、空席の案内役が不要になり、飲食店側のサービス効率が向上する。
【０１４８】
また、本発明のシステムでは、電子商取引装置１６での電子マネー精算時、非接触型ＩＣカード５０から顧客情報を読み取り、該顧客情報を精算内容情報と共に顧客センタ３０に送信するようにしたため、顧客センタ３０で顧客情報を容易に管理でき、マーケットリサーチも簡単に行なえるようになる。
【０１４９】
なお、本発明は、上記し、且つ図面に示す実施例に限定することなく、その要旨を変更しない範囲で適宜変形して実施できるものである。
【０１５０】
例えば、上記各実施例では、客用テーブルＴＢが空席か利用中かを指示するために、客用テーブルＴＢが利用中の時には接点が閉成され、空席の場合には開成するように店員が操作する着席確認スイッチ１８を用いたが、この着席確認スイッチ１８と同等の機能を実現する手段として、客が着席しているか否かを検知して利用中若しくは空席を示す出力を発生するような着席検知センサを用いるようにしても良い。
【０１５１】
また、図５に示す表示装置１７での各種接客サービス画面、並びに図６における客席案内表示装置１１での空席／利用中表示画面並びに空席待ちリストの表示態様はあくまでも一例であり、その主旨を客に伝え得る様々な表示態様に変更できる。
【０１５２】
【発明の効果】
以上説明したように、本発明によれば、入力装置から、少なくとも客から注文された品の品目情報を含む表示制御情報と、注文された品に関する精算伝票情報をそれぞれ該当する表示装置または電子商取引装置に無線送信する一方、表示装置では入力装置から送られてくる表示制御情報のうち、少なくとも品目情報に対応する客注文品目表示画面を含む接客サービス画面を表示させ、かつ電子商取引装置では表示装置に表示された接客サービス画面（電子マネーによる精算可能表示画面）を見た客が非接触型ＩＣカードをかざすことにより該カードを対象とした電子マネー精算処理を行なうようにしたため、客は利用中の客用テーブルにいながら飲食代金の電子マネーによる精算ができると共に、自分が注文した品を表示装置に表示された注文品目表示画面を見ることによってその場で確認でき、注文の間違えが後で判明することを防止できる等、客（利用者）の利便性を大幅に高めることができる。
【０１５３】
また、客用テーブル毎に設けた着席確認スイッチの出力に基づき対応する各客用テーブルが利用中か空席かを示す客席案内表示を行なうことにより、空席への案内役としての人手が不要になり、飲食店のサービス効率を高めることができる。
【０１５４】
また、電子商取引装置での電子マネー精算時、非接触型ＩＣカードから読み取った顧客情報等の電子情報を顧客センタ装置に送信して管理することにより、該電子情報を利用してマーケットリサーチも簡単に行なえるようになる。
【図面の簡単な説明】
【図１】本発明に係わる飲食サービス処理システムの概略構成を示す図。
【図２】図１に示したシステムの各構成要素の飲食店内配置態様を示す概念図。
【図３】客用テーブルにおける電子商取引装置、表示装置及び入力装置間の配置態様とこれら装置の機能構成を示す図。
【図４】本発明のシステムにおける飲食サービス処理動作の流れを示す図。
【図５】表示装置での接客サービス画面の表示例を示す図。
【図６】客席案内表示装置における来客案内画面の表示例を示す図。
【符号の説明】
１０　ホストコンピュータ
１０１　無線インタフェース（Ｉ／Ｆ）部
１０２　通信制御部
１０３　客席案内制御部
１０４　操作部
１０５　表示部
１０６　制御部
１１　客席案内表示装置
１２，１３　空席待ち登録装置
１３１　入力ペン
１４　入金機
１５　入力装置
１５１　無線インタフェース（Ｉ／Ｆ）部
１５２　操作部
１５３　表示部
１５４　注文処理部
１５５　制御部
１６−１，…，１６−ｎ　電子商取引装置
１６１　リーダ／ライタ（Ｒ／Ｗ）部
１６２　電子商取引処理部
１６３，１６４　無線インタフェース（Ｉ／Ｆ）部
１６５　制御部
１７−１，…，１７−ｎ　表示装置
１７１　無線インタフェース（Ｉ／Ｆ）部
１７２　表示部
１７３　制御部
１８−１，…，１８−ｎ　着席確認スイッチ
２０　通信網
３０　顧客センタ
４０　銀行（電子金庫）
５０　非接触型ＩＣカード
【図１】
2004046422.tif 000003
【図２】
2004046422.tif 000004
【図３】
2004046422.tif 000005
【図４】
2004046422.tif 000006
【図５】
2004046422.tif 000007
【図６】
2004046422.tif 000008